【事件の表示】
　特願２００５−１７３９８０「一次元及び二次元モード支援の接触検出装置及びその制御方法」拒絶査定不服審判事件〔平成１８年１１月　２日出願公開、特開２００６−３０２２３９〕について、次のとおり審決する。
【結　論】
　本件審判の請求は、成り立たない。
【理　由】
第１　手続の経緯 
　本願は、平成１７年６月１４日（優先権主張２００５年４月１９日、台湾）を国際出願日とする出願であって、平成２０年３月７日付けで拒絶理由通知がなされ、同年６月１０日付けで意見書が提出されたが、同年６月２６日付けで拒絶査定がなされ、これに対して同年９月２９日に拒絶査定に対する審判請求とともに手続補正がなされたものである。
　
　
第２　補正却下の決定
１．補正却下の決定の結論
　平成２０年９月２９日付けの手続補正書による補正（以下、「本件補正」という。）を却下する。
　
２．理由
（２−１）
　本件補正は、補正前の特許請求の範囲に記載の請求項数を１２から１６へ増加するものであり、特許請求の範囲を減縮するものということはできないから、本件補正は、平成１８年法律第５５号改正附則第３条第１項によりなお従前の例によるとされる同法による改正前の特許法第１７条の２第４項各号に規定する補正の目的のいずれにも該当しない。  
　
　したがって、本件補正は、平成１８年法律第５５号改正附則第３条第１項によりなお従前の例によるとされる同法による改正前特許法第１７条の２第４項の規定に違反するので、特許法第１５９条第１項において読み替えて準用する特許法第５３条第１項の規定により却下されるべきものである。
　
（２−２）本件補正についての補足的判断
　補正却下の理由については前記（２−１）で述べたとおりであるが、仮に本件補正が特許法第１７条の２第４項各号の規定に適合するとしても、補正後の請求項９に係る発明（請求項９は補正前の請求項１を引用する請求項５を独立の請求項としたものであって、その内容に変更はない。）は、後記「第３」で述べるとおり、補正前の請求項５に係る発明と同じ理由で拒絶すべきものである。
　
　
第３　本願発明について
（３−１）本願発明
　第２で述べたとおり、本件補正は却下されたので、本願の請求項５に係る発明（以下、「本願発明」という。）は、出願当初明細書の特許請求の範囲の請求項１を引用する請求項５に記載された以下のとおりのものである。
　
「【請求項１】
  センサであって、第１方向検出線及び第２方向検出線を具え、物品の接触検出装置のパネル上の位置を検出して第１信号を生成する、上記センサと、
  二次元座標処理器であって、二次元モード下で該第１信号に基づき二次元座標を生成する、上記二次元座標処理器と、
  座標変換器であって、一次元モード下で該第１信号或いは二次元座標に基づき第２信号を生成する、上記座標変換器と、
  一次元座標処理器であって、該第２信号に基づき一次元座標を生成する、上記一次元座標処理器と、
  を包含したことを特徴とする、一次元及び二次元モード支援の接触検出装置。
【請求項５】
  請求項１記載の一次元及び二次元モード支援の接触検出装置において、パネルがモード切り換え用の第１エリアと第２エリアを包含することを特徴とする、一次元及び二次元モード支援の接触検出装置。」
  　
（３−２）引用例
　原査定の拒絶の理由に引用された特開平９−２３０９９３号公報（以下、「引用例」という。）には、図面とともに以下の記載がある。なお、下線は当審で付与したものである。　
　
（ａ）「【０００１】
【発明の属する技術分野】本発明は、コンピュータ装置などにおいて、円や円弧を描く操作によりカーソルの移動方向などを指示するジョグダイアル方式の入力を行うジョグダイアルの模擬入力装置に関する。
【０００２】
【従来の技術】コンピュータ装置などでは、
操作者に１次元の変位方向（例えば上下，左右，増減，濃淡または正負など）を指示させる場合がある。例えば、表示装置の画面上に縦または横に多数並べて表示されたメニュー項目を選択する場合には、いずれかの項目上にある選択カーソルを上下または左右に移動させて選択する項目上に位置させる操作が要求される。また、画面描画などの際に、位置を指示するカーソルをＸ軸方向やＹ軸方向などの一方向にのみ移動させる必要が生じる場合がある。さらに、時刻，フォントサイズ，カウンタのカウント値，サーモスタットの温度またはマウスの解像度などの数値を設定する場合に、画面上に操作ボックスなどを開いて、ここに表示された数値を操作により増減させることがある。さらに、下記の各操作も１次元の変位方向を指示するものとなる。
【０００３】
・画面表示をスクロールアップさせたりスクロールダウンさせる操作
・画面表示を拡大させたり縮小させる操作
・画像編集時にフレームを順送りさせたり逆送りさせる操作
・表示画面のコントラスト，ブライトネス，フォーカス，色合いまたは色の濃さなどの調整操作
・音声のボリューム，音質またはステレオバランスなどの調整操作
・ＴＶ[Television]，ラジオ，有線放送または無線周波数などの選局操作
操作者がキーボードを用いて上記指示を行う場合には、上下や左右の矢印キーなどの方向を指示する１組のキーのいずれかを押下することに、カーソルを移動させたり数値やその他の調整量の増減などを行えばよい。また、マウスを用いる場合には、カーソルをこのマウスのマウスパッド上での動きに追従させたり、数値やその他の調整量の増減などを指示するスクロールバーのつまみ表示などをドラッグしたり、これら増減などを行うための矢印ボタン表示などをクリックする。
【０００４】さらに、特開平７−１０４９６４号公報には、スタイラスペンなどを用いてメニュー項目を選択する発明が記載されている。この発明は、表示画面上の各項目毎にジェスチャ認識可能領域を設け、スタイラスペンなどの指示位置がいずれかのジェスチャ認識可能領域内にある場合にジェスチャ認識を行って、その項目の選択決定を行うものである。また、特開平６−１２４９３号公報には、スタイラスペンやマウスなどによって入力されたジェスチャの認識を音声認識などで利用されるＤＰマッチング法[Dynamic Programming matching method]によって行う発明が記載されている。
【０００５】さらに、上記１次元の変位方向を指示させるための専用の入力装置としてジョグダイアル入力装置がある。ジョグダイアル入力装置は、図２４に示すように、本体上に回転可能にジョグダイアル２１を設けると共に、このジョグダイアル２１上の偏心位置に凹部２１ａを形成したものである。そして、
操作者の指先Ａを凹部２１ａに入れてジョグダイアル２１を回転させると、その回転方向に応じたジョグダイアルパルス（例えば回転方向に応じて位相進みとなったり位相遅れとなる２相のパルス）をコンピュータ装置に送るようになっている。したがって、コンピュータ装置側のデバイスドライバがこのジョグダイアルパルスを入力してジョグダイアル２１の回転方向が時計回り（右回り）か反時計回り（左回り）かを判定し、この判定結果をアプリケーションプログラムなどに渡すことにより、１次元の変位方向を指示することができる。また、このジョグダイアルパルスをマウスのＸ軸方向またはＹ軸方向のパルスとして取り扱えば、デバイスドライバが内部で保持するマウスの入力位置座標を移動させることもできる。なお、ここで指示した方向への変位量は、ジョグダイアルパルスのパルス数などにより表すことができる。
　
（ｂ）「【００１９】本発明は、上記事情に鑑み、
タッチパネル方式のマウスパッドなどに円や円弧を描く操作を行うことにより、カーソルの移動や数値の増減などの指示を行うことができるジョグダイアルの模擬入力装置を提供することを目的としている。
【００２０】
【課題を解決するための手段】本発明のジョグダイアルの模擬入力装置は、
指または指示具をパネル面に接触させまたは接近させることにより位置座標を入力する座標入力装置と、該座標入力装置が入力した位置座標の軌跡が時計回りの回転か反時計回りの回転かを判定する回転方向検出手段とを備え
【００２１】また、好ましくは、
本発明のジョグダイアルの模擬入力装置における回転方向検出手段が判定した回転方向を１次元の変位の変位方向を示す信号に変換し、または、該回転方向に応じた方向に入力位置座標を移動させる方向指示手段
【００２２】さらに、好ましくは、本発明のジョグダイアルの模擬入力装置における回転方向検出手段が判定した回転方向を示す表示を表示させる回転方向表示手段を備える。
【００２３】さらに、好ましくは、本発明のジョグダイアルの模擬入力装置における回転方向検出手段が判定した回転方向を示す音声を発生させる回転方向音声発生手段を備える。
【００２４】さらに、好ましくは、本発明のジョグダイアルの模擬入力装置における回転方向検出手段が、いずれかの入力装置からの入力に基づいて、先の位置座標から今回の位置座標への移動を軌跡の線分要素と認識するための最低距離の数値を変更する入力精度変更手段を備える。
【００２５】さらに、好ましくは、本発明のジョグダイアルの模擬入力装置における座標入力装置が入力した位置座標をマウス入力による位置座標とするマウス模擬手段と、いずれかの入力装置からの入力に基づいて、該マウス模擬手段による入力と前記回転方向検出手段による入力とを切り替える入力切換手段とを備える。
【００２６】さらに、好ましくは、本発明のジョグダイアルの模擬入力装置における回転方向検出手段が、前回認識した軌跡の線分の傾きと今回認識した軌跡の線分の傾きとを比較して時計回りの回転か反時計回りの回転かを判定するものである。
【００２７】以下作用について説明する。
【００２８】上記構成により、
通常の座標入力装置を用いて円や円弧を描く操作を行うことによりジョグダイアル入力装置と同様の入力を行うことができる。
回転方向検出手段は、座標入力装置に付随してソフトウエアまたはハードウエアとして設けてもよいし、この座標入力装置を接続するコンピュータ装置のデバイスドライバなどとして設けることもできる。
【００２９】また、上記構成により、
通常の座標入力装置を用いて円や円弧を描く操作を行うことにより、例えばマウスによる直線を描く操作をエミュレート（模擬）できるので、狭い操作範囲で簡単に長いストロークの操作を行うことができる。通常のマウスは、ＸＹ軸の双方向について移動方向と距離を示すジョグダイアルパルスと同様のパルスをコンピュータ装置に送り、デバイスドライバがこれらのパルスに基づいて内部に保持する入力位置座標を変化させるので、座標入力装置側に設けた方向指示手段が変位方向を示す信号をこのようなパルスとしてコンピュータ装置に送るようにすれば、マウス用のデバイスドライバをそのまま用いて入力処理を行うことができる。また、この変位方向を示す信号を例えばキーボードの矢印キーのキーコードとしキーバッファなどへの挿入処理を行えば、この矢印キーの入力操作をエミュレートすることもできる。さらに、方向指示手段を内部で保持する入力位置座標を移動させるものとすれば、マウス用のデバイスドライバに代えて座標位置入力処理を行わせることもできる。
【００３０】さらに、上記構成により、表示装置の表示を確認しながら正しく円や円弧を描く操作を行うことができる。
【００３１】さらに、上記構成により、スピーカやブザーなどの音声発生装置が発生する音を確認しながら正しく円や円弧を描く操作を行うことができる。
【００３２】さらに、上記構成により、座標入力装置が入力した位置座標の移動が軌跡の線分要素となるための最低距離の設定を変更できるので、円や円弧を描く操作を行う際の分解能を変えることができる。この変更操作は、キーボードによる特定のキー操作と数値入力によるものでもよいし、このジョグダイアル方式やマウス方式による特別の操作（例えば表示装置の画面に操作ボックスを開き数値を増減するような操作）などによるものであってもよい。
【００３３】
さらに、上記構成により、座標入力装置を用いたジョグダイアル方式の入力処理とマウス方式の入力処理とを簡単に切り替えることができる。この切り替え操作は、例えばキーボードの特定のキーが押下されている間にのみジョグダイアル方式の入力処理に切り替えるようにすることができ、キーボードの特定のキーを１回押下するだけで以降はそのキーが対応する方式の入力処理に切り替わったり、キーの押下のたびに入力処理がトグル状に切り替わるようにしてもよい。
【００３４】さらに、上記構成により、回転方向検出手段が軌跡の線分の傾き基づいて簡単な演算により回転方向を判定できるので、容易にリアルタイム性を確保することができる。線分の傾きは、除算演算によって簡単に求めることができるので、ジェスチャ認識処理の場合などのような複雑な角度計算が不要となる。また、一般に、線分の傾きが小さくなる方向に変化する場合には、時計回りの回転と判定することができ、この傾きが負から正に変化する場合にのみ、時計回りの回転でも傾きが大きくなる方向に変化する。そこで、線分の傾きを場合分けしてから比較演算を行えば、回転方向も簡単に判定できる。」
　
（ｃ）「【００３５】
【発明の実施の形態】以下、本発明の実施形態について説明する。
【００３６】（第１実施形態）図１乃至図１９は本発明の第１実施形態を示すものであって、図１はマウスパッドのハードウエア構成を示すブロック図、図２はマウスパッドの平面図、図３はマウスパッドを接続するコンピュータ装置のハードウエア構成を示すブロック図、図４はマウスパッドによる入力処理動作を説明するフローチャート、図５はマウスパッドの座標入力処理動作を説明するフローチャート、図６はマウスパッドによるジョグダイアル方式の入力処理を説明するフローチャート、図７はマウスパッドにおける回転方法の判定処理を説明するフローチャート、図８は座標の移動が急激な逆回転となる場合を説明するための説明図、図９は座標の移動が時計回りの回転となる場合を説明するための説明図、図１０は座標の移動が反時計回りの回転となる場合を説明するための説明図、図１１は座標の移動が時計回りの回転となる場合を説明するための説明図、図１２は座標の移動が時計回りの回転となる場合を説明するための説明図、図１３は座標の移動が反時計回りの回転となる場合を説明するための説明図、図１４は座標の移動が反時計回りの回転となる場合を説明するための説明図、図１５は座標の移動が時計回りの回転となる場合を説明するための説明図、図１６は座標の移動が時計回りの回転となる場合を説明するための説明図、図１７は座標の移動が反時計回りの回転となる場合を説明するための説明図、図１８は座標の移動が反時計回りの回転となる場合を説明するための説明図、図１９は座標が連続的に移動した場合の入力処理動作を説明するための説明図である。
【００３７】本実施形態では、座標入力装置として、図２に示すようなマウスパッド１を用いる場合について説明する。
マウスパッド１は、５ｃｍ角程度のタッチパネル方式のパネル面１ａを有し、操作者が指先Ａで触れたパネル面１ａの位置座標を検出すると共に、これによってマウス操作のエミュレーションを行うことができるようになっている。
このマウスパッド１は、一般のマウスに代わる座標入力装置として開発されたものであり、タッチマウス、タッチパッド、スタイラスパッド、スタイラスマウスまたはグライドポイントとも称されるものである。
【００３８】
マウスパッド１は、図１に示すように、ＣＰＵ[Central Processing Unit]２を備えたマイクロコンピュータシステムによって構成されている。ＣＰＵ２は、メモリ３のＲＯＭ[Read-Only Memory]に記憶されたプログラムを実行する。即ち、このプログラムは、指先Ａが触れたパネル面１ａの位置座標を読み出すと共に、左マウスボタン４と右マウスボタン５の押下状態を検出し、これらの位置座標やマウスボタン４，５の押下状態をコネクタ６から出力させるマウス方式の入力処理を行う。また、このプログラムは、前々回と前回と今回検出した位置座標を順次座標記憶用メモリ７に記憶させ、メモリ３のＲＡＭ[Random Access Memory]のワークエリアを用いて、最小距離記憶用メモリ８に記憶された最小距離Ｌminの値を参照しながら、これらの位置座標の軌跡の回転方向が時計回りか反時計回りかを判定し、この判定結果をコネクタ６から出力させるジョグダイアル方式の入力処理も行う。
【００３９】マウスパッド１は、コネクタ６を図３に示すコンピュータ装置のコネクタ１０に接続して入力装置として使用される。このコンピュータ装置のＣＰＵ１１は、ＲＡＭやＲＯＭで構成されるメモリ１２に記憶されたシステムプログラムを実行する。このシステムプログラム内のデバイスドライバは、マウスパッド１からコネクタ１０を介して送られて来る位置座標やマウスボタン４，５の押下状態または回転方向の判定結果を取得する。また、このデバイスドライバは、コネクタ１０を介してマウスパッド１に最小距離Ｌminの設定値を送ることができる。さらに、システムプログラム内のデバイスドライバは、キーボード１３からのキー入力を受け付けると共に、表示ドライバ１４を介して表示装置１５に表示を行わせたり、サウンドドライバ１６を介してスピーカ１７から音声を発生させる処理も行う。なお、このスピーカ１７に代えてブザーを用いてもよい。
【００４０】上記システムプログラムは、自動的にまたはキーボード１３やマウスパッド１の操作による指示に従い、ハードディスク装置１８からアプリケーションプログラムを読み出してメモリ１２に記憶させ、このアプリケーションプログラムを実行させる。アプリケーションプログラムは、システムプログラムのデバイスドライバを介して、マウスパッド１やキーボード１３からの入力処理を行うと共に、表示装置１５に表示を行わせたりスピーカ１７から音声を発生させることができる。ＲＡＭ１９は、これらシステムプログラムやアプリケーションプログラムのワークエリアとして利用される。
【００４１】
なお、上記構成では、マウスパッド１がマウス方式の入力による位置座標などと共に、ジョグダイアル方式の入力による回転方向の判定結果もコンピュータ装置に送るようになっていたが、このマウスパッド１からは位置座標などだけを出力させ、ジョグダイアル方式の入力処理時にコンピュータ装置側のデバイスドライバによって回転方向を判定させるようにすることもできる。また、このマウスパッド１からはマウス方式の場合のパルスとジョグダイアル方式の場合のジョグダイアルパルスを出力させ、コンピュータ装置側のデバイスドライバによってこれらのパルスを処理させるようにすることもできる。
【００４２】上記構成のコンピュータ装置とジョグダイアル方式によって入力処理を行うマウスパッド１の動作を図４〜図７のフローチャートに基づいて説明する。なお、これらのフローチャートでは、コンピュータ装置側のデバイスドライバやアプリケーションプログラムとマウスパッド１側のプログラムの動作を一括して説明する。また、これらのフローチャートにおいて同じ記号で示す変数は全て共通の値を有するものとする。
【００４３】まず、図４に示す最初のステップ（以下「Ｓ」という）１で、
マウスパッド１のパネル面１ａからの座標入力を行う。この座標入力は、図５に示すように、指先Ａが触れたパネル面１ａのＸ座標を変数Ｘに代入すると共に（Ｓ２１）、Ｙ座標を変数Ｙに代入する処理である（Ｓ２２）。次に、図４に示すように、座標入力で得た変数Ｘ，Ｙの値を変数Ｘ1，Ｙ1に代入する（Ｓ２）。この変数Ｘ1，Ｙ1は、前回の座標を記憶するために座標記憶用メモリ７上に設けた変数である。
  　
（ｄ）「【００７５】（第５実施形態）図２３は本発明の第５実施形態を示すものであって、マウスパッドによる入力処理動作を説明するフローチャートである。なお、図１〜図７に示した第１実施形態と同様の機能を有する構成部材には同じ番号を付記して説明を省略する。
【００７６】上記実施形態では、特に明示しない操作により
マウスパッド１によるジョグダイアル方式の入力処理とマウス方式の入力処理を切り替えるようになっている。したがって、ジョグダイアル方式の入力処理を行うための専用の操作スペースを使用することなく、ジョグダイアル方式とマウス方式とを切り替えて入力処理を行うことができる。
【００７７】本実施形態も、図１〜図３および図５〜図７に示した第１実施形態と同様の構成である。ただし、図２３に示すように、第１実施形態で示した図４の処理にＳ１７〜Ｓ２０を追加している。Ｓ１７の処理は、キーボード１３上の特定のキーが押下されているかどうかを判断するものであり、Ｓ５のジョグダイアル方式の入力処理の直前に挿入される。そして、このキーが押下されている状態である場合にのみ、以降のＳ５〜Ｓ１０のジョグダイアル方式による入力処理を実行する。
【００７８】上記特定のキーが押下されていない場合には、Ｓ１８〜Ｓ２０の処理を実行する。Ｓ１８は、マウスパッド１によるマウス方式の入力処理であり、この場合マウスパッド１はマウス操作のエミュレーションを行う。また、Ｓ１９は、このマウス方式の入力処理により得たマウス入力に基づきアプリケーションプログラムなどが実行する処理である。さらに、このマウス入力に基づく処理が完了すると、Ｓ２０の処理で上記Ｓ１７と同様に特定のキーが押下されているかどうかを判断する。そして、特定のキーが押下されていない場合には、Ｓ１８に戻ってマウス方式の入力処理を続行する。しかし、特定のキーが押下された場合には、Ｓ１に戻りジョグダイアル方式による初期化処理を行った後に、このキーが押下されている間、ジョグダイアル方式による入力処理を実行する。
【００７９】ジョグダイアル方式による入力処理は、特定の入力処理の場合にのみ使用されることが多い。したがって、操作者は、常時はマウス方式の入力処理を行い、例えば大きな画面スクロールを行う必要が生じた場合などにのみ、特定のキーを押しながらジョグダイアル方式による入力処理を行うようにすることができるので、操作の切り替えに煩わされることもなくなる。
【００８０】なお、特定のキーとしては、単独では通常のキー入力の対象とならないアルトキー（ＡＬＴ）、コントロールキー（ＣＴＲＬ）またはシフトキー（ＳＨＩＦＴ）などや、特殊用途用のファンクションキーなどを用いるのが適当である。
【００８１】また、この入力方式は、
上記のような特定のキーの押下状態だけでなく、キーボード１３の他の操作やマウスパッド１またはその他の入力装置の操作によって切り替えるようにすることもできる。
【００８２】
【発明の効果】
以上のように本発明のジョグダイアルの模擬入力装置によれば、通常の座標入力装置で円や円弧を描く操作を行うことにより、ジョグダイアル入力装置に代わる入力を行ったり、マウスなどのストローク入力をジョグダイアル風に行えるので、専用のジョグダイアル入力装置を接続することなく、狭い操作範囲で簡単に長いストロークの入力操作を行うことができるようになる。
　
　これら引用例の記載から、引用例には、以下の発明（以下、「引用発明」という。）が開示されていると認められる。
　
「タッチパネル方式の座標入力装置であるマウスパッドを備え、
前記マウスパッドは、指先Ａが触れたパネル面１ａのＸ座標及びＹ座標からなる位置座標を読み出し、位置座標を出力させるマウス方式の入力処理を行うとともに、
回転方向検出手段によって前記マウスパッドが入力した前記位置座標の軌跡の回転方向が時計回りか反時計回りかを判定し、この判定結果を出力させるジョグダイアル方式の入力処理も行い、
マウスパッドによるジョグダイアル方式の入力処理とマウス方式の入力処理を、マウスパッドの操作によって切り替えるものであって、
ジョグダイアルの模擬入力装置における前記回転方向検出手段が判定した回転方向に、入力位置座標を移動させる方向指示手段を備えた、
座標入力装置。」
　
（３−３）対比
　本願発明と引用発明とを対比する。
　
　引用発明の「パネル面１ａ」は、本願発明の「パネル上」に相当する。
　本願発明の「物品」とは、明細書の詳細な説明の記載によれば、その置かれた位置を接触検出装置が検出する対象物をさし、手指を含むから、引用発明の「指先Ａ」と、本願発明の「物品」は、接触検出装置が検出する「対象物」である点で共通する。
　引用発明の「座標入力装置」は、指先Ａで触れたパネル面の位置座標を検出する機能を有することから、本願発明の「センサ」を含む。
　引用発明のマウスパッドが検出し、回転方向検出手段に入力する「位置座標」は、本願発明の、パネル上の位置を検出して生成される「第１の信号」に相当する。
　
　引用発明のマウスパッドは、指先Ａが触れたパネル面１ａの位置座標を読み出し、位置座標を出力させるマウス方式の入力処理を行うことから、本願発明の、二次元座標を生成する「二次元座標処理器」に相当する。
　引用発明において、ジョグダイアル方式は一次元の信号を出力し、マウス方式は二次元の信号を出力するものであり、さらに、ジョグダイアル方式の入力処理とマウス方式の入力処理を切り替えるものであるから、引用発明の「ジョグダイアル方式の選択時」は本願発明の「一次元モード」、引用発明の「マウス方式の選択時」は本願発明の「二次元モード」に相当する。
　
　引用発明のマウスパッドが読み出す「位置座標」は、Ｘ座標及びＹ座標からなるから、本願発明の「二次元座標」に相当する。
　そして、引用発明の回転方向検出手段は、位置座標である第１信号または二次元座標に基づいて入力された二次元座標の軌跡の回転方向を判定し、回転方向は、一次元の情報であり、判定結果として方向指示手段に伝えられ、一次元座標を生成（増減）させる、座標情報である。したがって、引用発明の「回転方向検出手段」は、本願発明の「座標変換器」に相当する。
　
　引用発明の「回転方向検出手段」は、「判定結果」を「方向指示手段」に伝えるものであるから、該判定結果は、本願発明の「第２信号」に相当する
　そして、引用発明の「回転方向検出手段」は、判定結果を「方向指示手段」に伝え、該「方向指示手段」は、判定結果に基づいて一次元座標を生成（増減）するものであるから、本願発明の「一次元座標処理器」に相当する。
　
　そうすると、両者は以下の点で一致し、相違する。
　
（一致点）
　センサであって、対象物の接触検出装置のパネル上の位置を検出して第１信号を生成する、上記センサと、
　二次元座標処理器であって、二次元モード下で該第１信号に基づき二次元座標を生成する、上記二次元座標処理器と、
　座標変換器であって、一次元モード下で該第１信号に基づき第２信号を生成する、上記座標変換器と、
　一次元座標処理器であって、該第２信号に基づき一次元座標を生成する、上記一次元座標処理器と、
　を包含した、
　一次元及び二次元モード支援の接触検出装置。
　
（相違点１）
　本願発明において、接触検出装置の検出対象が「物品」であるのに対して、引用発明は「指先」である点。
　
（相違点２）
　本願発明において、センサが、第１方向検出線及び第２方向検出線を備えているのに対して、引用発明にはこの点が明記されていない点。
  　
（相違点３）
　本願発明において、座標変換器が、一次元信号或いは二次元座標に基づき第２信号を生成しているのに対し、
　引用発明においては、座標変換器が、一次元信号に基づき第２信号を生成している点。
      　
（相違点４）
　本願発明が、パネルがモード切り換え用の第１エリアと第２エリアを包含するのに対して、引用発明は、２つのモードを切り替えるものではあるものの、モード切り換え用の第１エリアと第２エリアを包含していない点。
　
（３−４）当審の判断
　上記相違点について検討する。
　 
（相違点１について） 
　本願発明においても、接触検出装置が検出する対象には手指を含んでおり、また、接触検出装置において、指やペンなどの物品を検出することは常とう手段である。
　
（相違点２について） 
　タッチパネル方式の座標入力装置が指先が触れたパネル面のＸ座標及びＹ座標からなる位置座標を読み出すために、座標入力装置に第１方向検出線及び第２方向検出線を備えることは当然のこと（特開平１０−２０９９２号公報段落【０００７】ないし【００１０】及び図面参照）であって、格別のことではない。
　
（相違点３について） 
　引用発明は、少なくとも、一次元信号に基づき第２信号を生成しており、これを二次元座標に基づくように構成することについては当業者が適宜なし得る設計的事項である。
  　
（相違点４について） 
　タッチパネルのタッチ位置に応じて異なるモードを認識することは常とう手段（特開２００３−２４８５４９号公報及び特開２０００−２１４９９４号公報参照）であるから、２つのモードを切り替える引用発明において、引用発明のパネルにモード切り替え用の２つのエリアを設けるように構成することで前記相違点４に係る本願発明の構成とすることは当業者が容易になし得るものである。
　
　そして、本願発明が奏する効果は、当業者が引用発明から予想できる範囲内のものである。
  　
（３−５）むすび
　以上のとおり、本願発明は、引用発明に基づいて、当業者が容易に発明をすることができたものであるから、特許法第２９条第２項の規定により特許を受けることができない。
　よって、結論のとおり審決する。